(57)【要約】【課題】受信文字メッセージの電話番号を利用してコールバックすることができる電話装置を提供することを目的とする。【解決手段】公衆網に接続された回線インタフェース部と、回線インタフェース部を介して着信した文字メッセージと着信した文字メッセージに対応する電話番号とを受信履歴データとして対応させて記憶する文字メッセージ受信履歴記憶部と、データの入力等を行う操作部と、表示部と、全体を制御する制御部１とを有する電話装置であって、制御部１は、文字メッセージ受信履歴閲覧モードにおいて選択した受信履歴データを表示しているときに発呼ボタン２３が押下されたときには選択した受信履歴データに対応する電話番号を宛先として発呼するコールバック手段２０を有する。【選択図】　図２
2004023701.tif 000002
【特許請求の範囲】
【請求項１】
公衆網に接続された回線インタフェース部と、前記回線インタフェース部を介して着信した文字メッセージと前記着信した文字メッセージに対応する電話番号とを受信履歴データとして対応させて記憶する文字メッセージ受信履歴記憶部と、データの入力等を行う操作部と、表示部と、全体を制御する制御部とを有する電話装置であって、
前記制御部は、文字メッセージ受信履歴閲覧モードにおいて選択した受信履歴データを表示しているときに発呼ボタンが押下されたときには前記選択した受信履歴データに対応する電話番号を宛先として発呼するコールバック手段を有することを特徴とする電話装置。
【請求項２】
公衆網に接続された回線インタフェース部と、前記回線インタフェース部を介して着信した文字メッセージと前記着信した文字メッセージに対応する電話番号とを受信履歴データとして前記受信履歴データ検索のための検索番号に対応させて記憶する文字メッセージ受信履歴記憶部と、データの入力等を行う操作部と、表示部と、全体を制御する制御部とを有する電話装置であって、
前記制御部は、受信履歴データの有無を判定する受信履歴検索手段と、前記受信履歴データの有無判定において前記受信履歴データが有ると判定したときは文字メッセージ受信履歴閲覧モードに移行させる遷移手段と、前記移行した文字メッセージ受信履歴閲覧モードにおいて前記検索番号を順次に設定する検索番号設定手段と、前記順次に設定した検索番号に対応する文字メッセージと電話番号とを前記受信履歴データとして表示する表示手段と、前記受信履歴データを表示しているときに前記操作部の発呼ボタンが押下されたか否かを判定する発呼ボタン押下判定手段と、前記発呼ボタンが押下されたと判定したときは前記表示している受信履歴データの示す電話番号を宛先として発呼するコールバック手段とを有することを特徴とする電話装置。
【請求項３】
前記制御部は、前記操作部の文字メッセージ受信履歴閲覧モードボタンが押下されたか否かを判定する文字メッセージ受信履歴閲覧モードボタン押下判定手段と、前記操作部の受信履歴検索ボタンが押下されたか否かを判定する受信履歴検索ボタン押下判定手段と、前記文字メッセージ受信履歴閲覧モードボタンおよび前記受信履歴検索ボタンが押下されたと判定したときは受信履歴データの有無を判定する受信履歴検索手段とを有することを特徴とする請求項２に記載の電話装置。
【請求項４】
公衆網に接続された回線インタフェース部と、前記回線インタフェース部を介して着信した文字メッセージと前記着信した文字メッセージに対応する電話番号とを受信履歴データとして対応させて記憶する文字メッセージ受信履歴記憶部と、データの入力等を行う操作部と、表示部と、全体を制御する制御部とを有する電話装置における電話方法であって、
文字メッセージ受信履歴閲覧モードにおいて選択した受信履歴データを表示しているときに発呼ボタンが押下されたときには前記選択した受信履歴データに対応する電話番号を宛先として発呼するコールバックステップを有することを特徴とする電話方法。
【請求項５】
公衆網に接続された回線インタフェース部と、前記回線インタフェース部を介して着信した文字メッセージと前記着信した文字メッセージに対応する電話番号とを受信履歴データとして前記受信履歴データ検索のための検索番号に対応させて記憶する文字メッセージ受信履歴記憶部と、データの入力等を行う操作部と、表示部と、全体を制御する制御部とを有する電話装置における電話方法であって、
受信履歴データの有無を判定する受信履歴検索ステップと、前記受信履歴データの有無判定において前記受信履歴データが有ると判定したときは文字メッセージ受信履歴閲覧モードに移行させる遷移ステップと、前記移行した文字メッセージ受信履歴閲覧モードにおいて前記検索番号を順次に設定する検索番号設定ステップと、前記順次に設定した検索番号に対応する文字メッセージと電話番号とを前記受信履歴データとして表示する表示ステップと、前記受信履歴データを表示しているときに前記操作部の発呼ボタンが押下されたか否かを判定する発呼ボタン押下判定ステップと、前記発呼ボタンが押下されたと判定したときは前記表示している受信履歴データの示す電話番号を宛先として発呼するコールバックステップとを有することを特徴とする電話方法。
【請求項６】
前記操作部の文字メッセージ受信履歴閲覧モードボタンが押下されたか否かを判定する文字メッセージ受信履歴閲覧モードボタン押下判定ステップと、前記操作部の受信履歴検索ボタンが押下されたか否かを判定する受信履歴検索ボタン押下判定ステップと、前記文字メッセージ受信履歴閲覧モードボタンおよび前記受信履歴検索ボタンが押下されたと判定したときは受信履歴データの有無を判定する受信履歴検索ステップとを有することを特徴とする請求項５に記載の電話方法。
【請求項７】
請求項４乃至６のいずれか１に記載の電話方法の各ステップを実行するためのプログラムを記録したことを特徴とする記録媒体。
【発明の詳細な説明】
【０００１】
【発明の属する技術分野】
本発明は、公衆網に接続された回線インタフェース部と、回線インタフェース部を介して着信した文字メッセージと着信した文字メッセージに対応する電話番号とを受信履歴データとして受信履歴データ検索のための検索番号に対応させて記憶する文字メッセージ受信履歴記憶部と、データの入力等を行う操作部と、文字や図形を表示する表示部と、全体を制御する制御部とを有する電話装置、および、その電話装置における電話方法、ならびに、その電話方法を実行するための記録媒体に関するものである。
【０００２】
【従来の技術】
近年、文字メッセージを電話装置から送信したり、電話装置で受信するＳＭＳ（Ｓｈｏｒｔ　Ｍａｉｌ　Ｓｅｒｖｉｃｅ、ショートメールサービス）の利用が盛んになってきている。
【０００３】
【発明が解決しようとする課題】
しかしながら、従来の電話装置では、受信した文字メッセージに対応する電話番号を利用して発呼する（コールバックする）ことができないという問題点を有していた。
【０００４】
この電話装置、電話方法および記録媒体では、受信文字メッセージの電話番号を利用してコールバックできることが要求されている。
【０００５】
本発明は、この要求を満たすため、受信文字メッセージの電話番号を利用してコールバックすることができる電話装置、および、受信文字メッセージの電話番号を利用してコールバックするための電話方法、ならびに、その電話方法を実行するための記録媒体を提供することを目的とする。
【０００６】
【課題を解決するための手段】
上記課題を解決するために本発明の電話装置は、公衆網に接続された回線インタフェース部と、回線インタフェース部を介して着信した文字メッセージと着信した文字メッセージに対応する電話番号とを受信履歴データとして対応させて記憶する文字メッセージ受信履歴記憶部と、データの入力等を行う操作部と、表示部と、全体を制御する制御部とを有する電話装置であって、制御部は、文字メッセージ受信履歴閲覧モードにおいて選択した受信履歴データを表示しているときに発呼ボタンが押下されたときには選択した受信履歴データに対応する電話番号を宛先として発呼するコールバック手段を有する構成を備えている。
【０００７】
これにより、受信文字メッセージの電話番号を利用してコールバックすることができる電話装置が得られる。
【０００８】
上記課題を解決するために本発明の電話方法は、公衆網に接続された回線インタフェース部と、回線インタフェース部を介して着信した文字メッセージと着信した文字メッセージに対応する電話番号とを受信履歴データとして対応させて記憶する文字メッセージ受信履歴記憶部と、データの入力等を行う操作部と、表示部と、全体を制御する制御部とを有する電話装置における電話方法であって、文字メッセージ受信履歴閲覧モードにおいて選択した受信履歴データを表示しているときに発呼ボタンが押下されたときには選択した受信履歴データに対応する電話番号を宛先として発呼するコールバックステップを有すること構成を備えている。
【０００９】
これにより、受信文字メッセージの電話番号を利用してコールバックするための電話方法が得られる。
【００１０】
上記課題を解決するために本発明の記録媒体は、上記電話方法の各ステップを実行するためのプログラムを記録した構成を備えている。
【００１１】
これにより、上記電話方法を実行するための記録媒体が得られる。
【００１２】
【発明の実施の形態】
本発明の請求項１に記載の電話装置は、公衆網に接続された回線インタフェース部と、回線インタフェース部を介して着信した文字メッセージと着信した文字メッセージに対応する電話番号とを受信履歴データとして対応させて記憶する文字メッセージ受信履歴記憶部と、データの入力等を行う操作部と、表示部と、全体を制御する制御部とを有する電話装置であって、制御部は、文字メッセージ受信履歴閲覧モードにおいて選択した受信履歴データを表示しているときに発呼ボタンが押下されたときには選択した受信履歴データに対応する電話番号を宛先として発呼するコールバック手段を有することとしたものである。
【００１３】
この構成により、着信した受信履歴データすなわち着信した文字メッセージと電話番号とを検索番号に対応させて記憶し、その記憶した受信履歴データを必要に応じてコールバックの宛先として利用することができるので、受信文字メッセージの電話番号を利用してコールバックすることができ、受信相手との通話の迅速化を図ることができるという作用を有する。
【００１４】
請求項２に記載の電話装置は、公衆網に接続された回線インタフェース部と、回線インタフェース部を介して着信した文字メッセージと着信した文字メッセージに対応する電話番号とを受信履歴データとして対応させて記憶する文字メッセージ受信履歴記憶部と、データの入力等を行う操作部と、表示部と、全体を制御する制御部とを有する電話装置であって、制御部は、受信履歴データの有無を判定する受信履歴検索手段と、受信履歴データの有無判定において受信履歴データが有ると判定したときは文字メッセージ受信履歴閲覧モードに移行させる遷移手段と、移行した文字メッセージ受信履歴閲覧モードにおいて検索番号を順次に設定する検索番号設定手段と、順次に設定した検索番号に対応する文字メッセージと電話番号とを受信履歴データとして表示する表示手段と、受信履歴データを表示しているときに操作部の発呼ボタンが押下されたか否かを判定する発呼ボタン押下判定手段と、発呼ボタンが押下されたと判定したときは表示している受信履歴データの示す電話番号を宛先として発呼するコールバック手段とを有することとしたものである。
【００１５】
この構成により、着信した受信履歴データすなわち着信した文字メッセージと電話番号とを検索番号に対応させて記憶し、その記憶した文字メッセージと電話番号とを順次に表示し、所望の文字メッセージと電話番号とを見つけたときは発呼ボタンを押すことにより所望の電話番号を宛先としてコールバックすることができるので、受信文字メッセージの電話番号を利用してコールバックすることができ、受信相手との通話の迅速化を図ることができるという作用を有する。
【００１６】
請求項３に記載の電話装置は、請求項２に記載の電話装置において、制御部は、操作部の文字メッセージ受信履歴閲覧モードボタンが押下されたか否かを判定する文字メッセージ受信履歴閲覧モードボタン押下判定手段と、操作部の受信履歴検索ボタンが押下されたか否かを判定する受信履歴検索ボタン押下判定手段と、文字メッセージ受信履歴閲覧モードボタンおよび受信履歴検索ボタンが押下されたと判定したときは受信履歴データの有無を判定する受信履歴検索手段とを有することとしたものである。
【００１７】
この構成により、受信履歴データの有無を確実に検索することができ、受信履歴データ有りと判定した場合には文字メッセージ受信履歴閲覧モードへの移行を確実に行うことができるという作用を有する。
【００１８】
請求項４に記載の電話方法は、公衆網に接続された回線インタフェース部と、回線インタフェース部を介して着信した文字メッセージと着信した文字メッセージに対応する電話番号とを受信履歴データとして対応させて記憶する文字メッセージ受信履歴記憶部と、データの入力等を行う操作部と、表示部と、全体を制御する制御部とを有する電話装置における電話方法であって、文字メッセージ受信履歴閲覧モードにおいて選択した受信履歴データを表示しているときに発呼ボタンが押下されたときには選択した受信履歴データに対応する電話番号を宛先として発呼するコールバックステップを有することとしたものである。
【００１９】
この構成により、着信した受信履歴データすなわち着信した文字メッセージと電話番号とを検索番号に対応させて記憶し、その記憶した受信履歴データを必要に応じてコールバックの宛先として利用することができるので、受信文字メッセージの電話番号を利用してコールバックすることができ、受信相手との通話の迅速化を図ることができるという作用を有する。
【００２０】
請求項５に記載の電話方法は、公衆網に接続された回線インタフェース部と、回線インタフェース部を介して着信した文字メッセージと着信した文字メッセージに対応する電話番号とを受信履歴データとして対応させて記憶する文字メッセージ受信履歴記憶部と、データの入力等を行う操作部と、表示部と、全体を制御する制御部とを有する電話装置における電話方法であって、受信履歴データの有無を判定する受信履歴検索ステップと、受信履歴データの有無判定において受信履歴データが有ると判定したときは文字メッセージ受信履歴閲覧モードに移行させる遷移ステップと、移行した文字メッセージ受信履歴閲覧モードにおいて検索番号を順次に設定する検索番号設定ステップと、順次に設定した検索番号に対応する文字メッセージと電話番号とを受信履歴データとして表示する表示ステップと、受信履歴データを表示しているときに操作部の発呼ボタンが押下されたか否かを判定する発呼ボタン押下判定ステップと、発呼ボタンが押下されたと判定したときは表示している受信履歴データの示す電話番号を宛先として発呼するコールバックステップとを有することとしたものである。
【００２１】
この構成により、着信した受信履歴データすなわち着信した文字メッセージと電話番号とを検索番号に対応させて記憶し、その記憶した文字メッセージと電話番号とを順次に表示し、所望の文字メッセージと電話番号とを見つけたときは発呼ボタンを押すことにより所望の電話番号を宛先としてコールバックすることができるので、受信文字メッセージの電話番号を利用してコールバックすることができ、受信相手との通話の迅速化を図ることができるという作用を有する。
【００２２】
請求項６に記載の電話方法は、請求項５に記載の電話方法において、操作部の文字メッセージ受信履歴閲覧モードボタンが押下されたか否かを判定する文字メッセージ受信履歴閲覧モードボタン押下判定ステップと、操作部の受信履歴検索ボタンが押下されたか否かを判定する受信履歴検索ボタン押下判定ステップと、文字メッセージ受信履歴閲覧モードボタンおよび受信履歴検索ボタンが押下されたと判定したときは受信履歴データの有無を判定する受信履歴検索ステップとを有することとしたものである。
【００２３】
この構成により、受信履歴データの有無を確実に検索することができ、受信履歴データ有りと判定した場合には文字メッセージ受信履歴閲覧モードへの移行を確実に行うことができるという作用を有する。
【００２４】
請求項７に記載の記録媒体は、請求項４乃至６のいずれか１に記載の電話方法の各ステップを実行するためのプログラムを記録することとしたものである。
【００２５】
この構成により、請求項４乃至６のいずれか１に記載の電話方法を汎用コンピュータを用いて任意の場所で任意の時間に実行することができるという作用を有する。
【００２６】
以下、本発明の実施の形態について、図１〜図３を用いて説明する。
【００２７】
（実施の形態１）
図１は本発明の実施の形態１による電話装置を示すブロック図である。
【００２８】
図１において、１は全体を制御する制御部、２はデータの入力等を行う操作部、３は文字や図形を表示する表示部、４は後述の回線インタフェース部５を介して着信した発呼者識別番号と電話番号とを関連付けて着信履歴データとして記憶する文字メッセージ受信履歴記憶部、５は公衆網６に接続された回線インタフェース部（回線Ｉ／Ｆ部）である。また、２１は文字メッセージ受信履歴閲覧モードへ移行するための文字メッセージ受信履歴閲覧モードボタン、２２は受信履歴データを検索するための受信履歴検索ボタン、２３は発呼するための発呼ボタンである。
【００２９】
図２はソフトウェアにより実現される制御部１の構成を示す機能ブロック図である。
【００３０】
図２において、１１は操作部２の文字メッセージ受信履歴閲覧モードボタン２１が押下されたか否かを判定する文字メッセージ受信履歴閲覧モードボタン押下判定手段、１２は受信履歴検索ボタン２２が押下されたか否かを判定する受信履歴検索ボタン押下判定手段、１３は文字メッセージ受信履歴閲覧モードボタン２１および受信履歴検索ボタン２２が押下されたと判定したときに受信履歴データの有無を判定する受信履歴検索手段、１４は受信履歴データの有無判定において受信履歴データが有ると判定したときは文字メッセージ受信履歴閲覧モードに移行させる遷移手段、１５は移行した文字メッセージ受信履歴閲覧モードにおいて検索番号を順次に設定する検索番号設定手段、１６は順次に設定した検索番号に対応する文字メッセージと電話番号とを受信履歴データとして表示する表示手段、１７は受信履歴データを表示しているときに操作部２の発呼ボタン２３が押下されたか否かを判定する発呼ボタン押下判定手段、１８は検索番号が所定の番号（最大検索番号）を越えたか否かを判定する検索番号判定手段、１９は文字メッセージ受信履歴閲覧モードを解消する解消手段、２０は発呼ボタン２３が押下されたと判定したときに、表示している受信履歴データの示す電話番号を宛先として発呼し通話するコールバック手段である。
【００３１】
このように構成された電話装置について、その動作を図３を用いて説明する。図３は図１、図２の電話装置の動作を示すフローチャートである。
【００３２】
図３において、まず、文字メッセージ受信履歴閲覧モードボタン押下判定手段１１は、操作部２の文字メッセージ受信履歴閲覧モードボタン２１が押下されたか否かを判定し（Ｓ１）、文字メッセージ受信履歴閲覧モードボタン２１が押下されたと判定したときは次に受信履歴検索ボタン押下判定手段１２は、受信履歴検索ボタン２２が押下されたか否かを判定する（Ｓ２）。受信履歴検索ボタン２２が押下されたと判定したときは次に受信履歴検索手段１３は文字メッセージ受信履歴を検索し（Ｓ３）、文字メッセージと電話番号とを含む受信履歴データの有無を判定し（Ｓ４）、受信履歴データの有無判定において受信履歴データが有ると判定したときは次に遷移手段１４は処理モードを文字メッセージ受信履歴閲覧モードに移行させる（Ｓ５）。次に検索番号設定手段１５は、受信履歴データ検索のための検索番号ｉを順次に設定する（Ｓ６）。最初はｉ＝１と設定する。次に表示手段１６は、順次に設定した検索番号ｉに対応する文字メッセージと電話番号とを表示部３に表示させる（Ｓ７）。発呼したい電話番号は現在の検索番号ｉに対応する電話番号であると操作者が判断した場合には発呼ボタン２３が押下されるが（Ｓ８）、そうでない場合には、受信履歴検索ボタン２２が順次に押され、受信履歴検索ボタン押下判定手段１２が受信履歴検索ボタン２２が押下されたと判定したときは（Ｓ９）、検索番号設定手段１５は検索番号ｉを“１”増加する（ｉ＝ｉ＋１）（Ｓ１０）。この検索番号ｉを順次に“１”ずつ増加することを、発呼ボタン２３が押下されない限り、検索番号判定手段１８が検索番号ｉは所定の番号（最大検索番号）ｉＭＡＸを越えたと判定するまで行う（Ｓ１１）。すなわち、ステップＳ７〜Ｓ１０を繰り返す。検索番号判定手段１８がｉ＞ｉＭＡＸとなったと判定したときはステップＳ６へ戻る。
【００３３】
ステップＳ８で発呼ボタン押下判定手段１７が、表示している受信履歴データの示す文字メッセージまたは電話番号の中に所望のものが有ることにより発呼ボタン２３が押下されたと判定したときは次に、解消手段１９は文字メッセージ受信履歴閲覧モードを解消し（Ｓ１２）、コールバック手段２０は、表示している受信履歴データの示す電話番号、すなわち選択した受信履歴の相手先電話番号を宛先として発呼し通話する（Ｓ１３）。そして、この処理を終了する。
【００３４】
以上のように本実施の形態によれば、文字メッセージ受信履歴閲覧モードにおいて選択した受信履歴データを表示しているときに発呼ボタンが押下されたときには選択した受信履歴データに対応する電話番号を宛先として発呼するコールバック手段２０を有することにより、着信した受信履歴データすなわち着信した文字メッセージと電話番号とを検索番号に対応させて記憶し、その記憶した受信履歴データを必要に応じてコールバックの宛先として利用することができるので、受信文字メッセージの電話番号を利用してコールバックすることができ、受信相手との通話の迅速化を図ることができる。
【００３５】
また、受信履歴データの有無を判定する受信履歴検索手段１３と、受信履歴データの有無判定において受信履歴データが有ると判定したときは文字メッセージ受信履歴閲覧モードに移行させる遷移手段１４と、移行した文字メッセージ受信履歴閲覧モードにおいて検索番号を順次に設定する検索番号設定手段１５と、順次に設定した検索番号に対応する文字メッセージと電話番号とを受信履歴データとして表示する表示手段１６と、受信履歴データを表示しているときに操作部２の発呼ボタン２３が押下されたか否かを判定する発呼ボタン押下判定手段１７と、発呼ボタン２３が押下されたと判定したときは表示している受信履歴データの示す電話番号を宛先として発呼するコールバック手段２０とを有することにより、着信した受信履歴データすなわち着信した文字メッセージと電話番号とを検索番号に対応させて記憶し、その記憶した文字メッセージと電話番号とを順次に表示し、所望の文字メッセージと電話番号とを見つけたときは発呼ボタン２３を押すことにより所望の電話番号を宛先としてコールバックすることができるので、受信文字メッセージの電話番号を利用してコールバックすることができ、受信相手との通話の迅速化を図ることができる。
【００３６】
さらに、操作部２の文字メッセージ受信履歴閲覧モードボタン２１が押下されたか否かを判定する文字メッセージ受信履歴閲覧モードボタン押下判定手段１１と、操作部２の受信履歴検索ボタン２２が押下されたか否かを判定する受信履歴検索ボタン押下判定手段１２と、文字メッセージ受信履歴閲覧モードボタン２１および受信履歴検索ボタン２２が押下されたと判定したときは受信履歴データの有無を判定する受信履歴検索手段１３とを有することにより、受信履歴データの有無を確実に検索することができ、受信履歴データ有りと判定した場合には文字メッセージ受信履歴閲覧モードへの移行を確実に行うことができる。
【００３７】
さらに、図３の電話方法の各ステップを実行するためのプログラムを記録媒体に記録することとすれば、図３の電話方法を汎用コンピュータを用いて任意の場所で任意の時間に実行することができる。
【００３８】
【発明の効果】
以上説明したように本発明の請求項１に記載の電話装置によれば、公衆網に接続された回線インタフェース部と、回線インタフェース部を介して着信した文字メッセージと着信した文字メッセージに対応する電話番号とを受信履歴データとして対応させて記憶する文字メッセージ受信履歴記憶部と、データの入力等を行う操作部と、表示部と、全体を制御する制御部とを有する電話装置であって、制御部は、文字メッセージ受信履歴閲覧モードにおいて選択した受信履歴データを表示しているときに発呼ボタンが押下されたときには選択した受信履歴データに対応する電話番号を宛先として発呼するコールバック手段を有することにより、着信した受信履歴データすなわち着信した文字メッセージと電話番号とを検索番号に対応させて記憶し、その記憶した受信履歴データを必要に応じてコールバックの宛先として利用することができるので、受信文字メッセージの電話番号を利用してコールバックすることができ、受信相手との通話の迅速化を図ることができるという有利な効果が得られる。
【００３９】
請求項２に記載の電話装置によれば、公衆網に接続された回線インタフェース部と、回線インタフェース部を介して着信した文字メッセージと着信した文字メッセージに対応する電話番号とを受信履歴データとして対応させて記憶する文字メッセージ受信履歴記憶部と、データの入力等を行う操作部と、表示部と、全体を制御する制御部とを有する電話装置であって、制御部は、受信履歴データの有無を判定する受信履歴検索手段と、受信履歴データの有無判定において受信履歴データが有ると判定したときは文字メッセージ受信履歴閲覧モードに移行させる遷移手段と、移行した文字メッセージ受信履歴閲覧モードにおいて検索番号を順次に設定する検索番号設定手段と、順次に設定した検索番号に対応する文字メッセージと電話番号とを受信履歴データとして表示する表示手段と、受信履歴データを表示しているときに操作部の発呼ボタンが押下されたか否かを判定する発呼ボタン押下判定手段と、発呼ボタンが押下されたと判定したときは表示している受信履歴データの示す電話番号を宛先として発呼するコールバック手段とを有することにより、着信した受信履歴データすなわち着信した文字メッセージと電話番号とを検索番号に対応させて記憶し、その記憶した文字メッセージと電話番号とを順次に表示し、所望の文字メッセージと電話番号とを見つけたときは発呼ボタンを押すことにより所望の電話番号を宛先としてコールバックすることができるので、受信文字メッセージの電話番号を利用してコールバックすることができ、受信相手との通話の迅速化を図ることができるという有利な効果が得られる。
【００４０】
請求項３に記載の電話装置によれば、請求項２に記載の電話装置において、制御部は、操作部の文字メッセージ受信履歴閲覧モードボタンが押下されたか否かを判定する文字メッセージ受信履歴閲覧モードボタン押下判定手段と、操作部の受信履歴検索ボタンが押下されたか否かを判定する受信履歴検索ボタン押下判定手段と、文字メッセージ受信履歴閲覧モードボタンおよび受信履歴検索ボタンが押下されたと判定したときは受信履歴データの有無を判定する受信履歴検索手段とを有することにより、受信履歴データの有無を確実に検索することができ、受信履歴データ有りと判定した場合には文字メッセージ受信履歴閲覧モードへの移行を確実に行うことができるという有利な効果が得られる。
【００４１】
請求項４に記載の電話方法によれば、公衆網に接続された回線インタフェース部と、回線インタフェース部を介して着信した文字メッセージと着信した文字メッセージに対応する電話番号とを受信履歴データとして対応させて記憶する文字メッセージ受信履歴記憶部と、データの入力等を行う操作部と、表示部と、全体を制御する制御部とを有する電話装置における電話方法であって、文字メッセージ受信履歴閲覧モードにおいて選択した受信履歴データを表示しているときに発呼ボタンが押下されたときには選択した受信履歴データに対応する電話番号を宛先として発呼するコールバックステップを有することにより、着信した受信履歴データすなわち着信した文字メッセージと電話番号とを検索番号に対応させて記憶し、その記憶した受信履歴データを必要に応じてコールバックの宛先として利用することができるので、受信文字メッセージの電話番号を利用してコールバックすることができ、受信相手との通話の迅速化を図ることができるという有利な効果が得られる。
【００４２】
請求項５に記載の電話方法によれば、公衆網に接続された回線インタフェース部と、回線インタフェース部を介して着信した文字メッセージと着信した文字メッセージに対応する電話番号とを受信履歴データとして対応させて記憶する文字メッセージ受信履歴記憶部と、データの入力等を行う操作部と、表示部と、全体を制御する制御部とを有する電話装置における電話方法であって、受信履歴データの有無を判定する受信履歴検索ステップと、受信履歴データの有無判定において受信履歴データが有ると判定したときは文字メッセージ受信履歴閲覧モードに移行させる遷移ステップと、移行した文字メッセージ受信履歴閲覧モードにおいて検索番号を順次に設定する検索番号設定ステップと、順次に設定した検索番号に対応する文字メッセージと電話番号とを受信履歴データとして表示する表示ステップと、受信履歴データを表示しているときに操作部の発呼ボタンが押下されたか否かを判定する発呼ボタン押下判定ステップと、発呼ボタンが押下されたと判定したときは表示している受信履歴データの示す電話番号を宛先として発呼するコールバックステップとを有することにより、着信した受信履歴データすなわち着信した文字メッセージと電話番号とを検索番号に対応させて記憶し、その記憶した文字メッセージと電話番号とを順次に表示し、所望の文字メッセージと電話番号とを見つけたときは発呼ボタンを押すことにより所望の電話番号を宛先としてコールバックすることができるので、受信文字メッセージの電話番号を利用してコールバックすることができ、受信相手との通話の迅速化を図ることができるという有利な効果が得られる。
【００４３】
請求項６に記載の電話方法によれば、請求項５に記載の電話方法において、操作部の文字メッセージ受信履歴閲覧モードボタンが押下されたか否かを判定する文字メッセージ受信履歴閲覧モードボタン押下判定ステップと、操作部の受信履歴検索ボタンが押下されたか否かを判定する受信履歴検索ボタン押下判定ステップと、文字メッセージ受信履歴閲覧モードボタンおよび受信履歴検索ボタンが押下されたと判定したときは受信履歴データの有無を判定する受信履歴検索ステップとを有することにより、受信履歴データの有無を確実に検索することができ、受信履歴データ有りと判定した場合には文字メッセージ受信履歴閲覧モードへの移行を確実に行うことができるという有利な効果が得られる。
【００４４】
請求項７に記載の記録媒体によれば、請求項４乃至６のいずれか１に記載の電話方法の各ステップを実行するためのプログラムを記録したことにより、請求項４乃至６のいずれか１に記載の電話方法を汎用コンピュータを用いて任意の場所で任意の時間に実行することができるという有利な効果が得られる。
【図面の簡単な説明】
【図１】本発明の実施の形態１による電話装置を示すブロック図
【図２】ソフトウェアにより実現される制御部の構成を示す機能ブロック図
【図３】図１、図２の電話装置の動作を示すフローチャート
【符号の説明】
１　制御部
２　操作部
３　表示部
４　文字メッセージ受信履歴記憶部
５　回線インタフェース部（回線Ｉ／Ｆ部）
６　公衆網
１１　文字メッセージ受信履歴閲覧モードボタン押下判定手段
１２　受信履歴検索ボタン押下判定手段
１３　受信履歴検索手段
１４　遷移手段
１５　検索番号設定手段
１６　表示手段
１７　発呼ボタン押下判定手段
１８　検索番号判定手段
１９　解消手段
２０　コールバック手段
２１　文字メッセージ受信履歴閲覧モードボタン
２２　受信履歴検索ボタン
２３　発呼ボタン
【図１】
2004023701.tif 000003
【図２】
2004023701.tif 000004
【図３】
2004023701.tif 000005